(57)【特許請求の範囲】
【請求項１】
平坦な状態から架線を囲繞する筒状に変形可能な帯状の基盤と、該基盤の表面に突設された多数の針状体とを有する鳥害防止具を、架線に沿うように供給するための鳥害防止具の取付補助装置であって、
架線の上側かつ架線と直交する方向に配置され、吊り下げられている鳥害防止具を架線に沿う方向に案内するガイド部材と、該ガイド部材を保持する本体と、該本体に取り付けられて架線上に支持される支持部材とが備えられていることを特徴とする鳥害防止具の取付補助装置。
【請求項２】
鳥害防止具が前記ガイド部材上から脱落しないようにするための一対のサイドガイド部材が前記ガイド部材の両側に設けられていることを特徴とする請求項１に記載の鳥害防止具の取付補助装置。
【請求項３】
架線の方に供給される向きとされた鳥害防止具を水平姿勢とするための補助ガイド部材が前記ガイド部材の前方に配置されていることを特徴とする請求項１又は２に記載の鳥害防止具の取付補助装置。
【請求項４】
水平姿勢を維持するためのバランサが前記本体の下部に取り付けられていることを特徴とする請求項１から３のいずれか１項に記載の鳥害防止具の取付補助装置。
【請求項５】
鳥害防止具が後退しないように針状体を衝止する逆行阻止部材が前記ガイド部材の上側に配置されていることを特徴とする請求項１から４のいずれか１項に記載の鳥害防止具の取付補助装置。
【請求項６】
前記支持部材は、本体に取り付けられる位置が変更自在とされ、水平姿勢を維持するための補助バランサが備えられていることを特徴とする請求項１から５のいずれか１項に記載の鳥害防止具の取付補助装置。
【請求項７】
渦巻状に巻かれた鳥害防止具をセットするホルダーが備えられていることを特徴とする請求項１から６のいずれか１項に記載の鳥害防止具の取付補助装置。
【発明の詳細な説明】
【技術分野】
【０００１】
本発明は、鳥が電線その他の架線に止まることを防止するための鳥害防止具を、架線に取り付ける際に使用する鳥害防止具の取付補助装置に関し、詳しくは、帯状の基盤に多数の針状体を突出させた鳥害防止具を架線に取り付ける際に使用する鳥害防止具の取付補助装置に関する。
【背景技術】
【０００２】
カラスなどの鳥が電柱に架設された電線その他の架線に止まり、排泄されることがある。排泄物が架線に付着すると、架線が劣化し、また、排泄物が地上に落下すると、人や自動車などが汚損される。そこで、このような鳥害を防止するための鳥害防止具が各種提案されている。
【０００３】
例えば、特許文献１には、図６（ａ）に示すように、帯状の基盤１１０の表面に多数の針状体１０１，１０１，…を突設させた鳥害防止具１００が開示されている。基盤１１０は、合成樹脂製で、裏面に複数の溝１１１，１１１，…が長手方向に設けられていることにより（図６（ｂ）参照）、筒状に変形自在とされている。そして、基盤１１０の一方の側面に複数の係合突起１１２，１１２，…が設けられ、他方の側面に複数の係合孔１１３，１１３，…が係合突起１１２，１１２，…の位置に対応して設けられている。さらに、基盤１１０には、軽量化するための透孔１１４，１１４，…が針状体１０１と針状体１０１との間に設けられている。
【０００４】
この鳥害防止具１００は、図６（ｂ）に示すように、針状体１０１，１０１，…が外側になるように電線１を囲繞し、係合突起１１２，１１２，…と係合孔１１３，１１３，…とを係合させることにより、電線１に取り付けられる。基盤１１０は、複数の溝１１１，１１１，…によって筒状に変形し、電線１を囲繞することができる。なお、架線１に取り付けられる鳥害防止具１００は、効率的に取り付けられるように、通常５ｍのものが使用されている。
【０００５】
【特許文献１】特開平８−１７３００６号公報
【発明の開示】
【発明が解決しようとする課題】
【０００６】
特許文献１に開示された鳥害防止具１００は、高所作業車のバケットに搭乗した２人の作業者によって電線１に取り付けられる。そして、鳥害防止具１００は、安全性を確保するため、高所作業車には積み込まれず、垂れ下がった状態とされている。
【０００７】
したがって、鳥害防止具１００は、捩れたり揺れたりするなど不安定な状態となる。このため、作業者は、他の一人が補助者となって鳥害防止具１００を上端の先頭側から電線１に沿わせ、一人が主務者となって鳥害防止具１００の係合突起１１２，１１２，…と係合孔１１３，１１３，…とを係合させている。しかし、このような作業は、効率が悪く、鳥害防止具１００を取り付けるために長時間を要してしまう。
【０００８】
そこで、本発明は、鳥害防止具を効率的に架線に取り付けることができるようにした鳥害防止具の取付補助装置を提供することを課題とする。
【課題を解決するための手段】
【０００９】
本発明に係る鳥害防止具の取付補助装置は、平坦な状態から架線を囲繞する筒状に変形可能な帯状の基盤と、該基盤の表面に突設された多数の針状体とを有する鳥害防止具を、架線に沿うように供給するための鳥害防止具の取付補助装置であって、架線の上側かつ架線と直交する方向に配置され、吊り下げられている鳥害防止具を架線に沿う方向に案内するガイド部材と、該ガイド部材を保持する本体と、該本体に取り付けられて架線上に支持される支持部材とが備えられていることを特徴としている。
【００１０】
この鳥害防止具の取付補助装置は、本体に取り付けられた支持部材が架線上に支持され、本体に保持されたガイド部材が架線の上側かつ架線と直交する方向に配置された状態で使用される。そして、吊り下げられた鳥害防止用具が本体の下方から引き上げられ、本体に保持されたガイド部材によって横向き姿勢に方向転換され、架線の方へ供給される。そして、この鳥害防止具は、筒状に変形され、架線を囲繞することによって取り付けられる。
【００１１】
また、前記本発明にかかる鳥害防止具の取付補助装置において、鳥害防止具が前記ガイド部材上から脱落しないようにするための一対のサイドガイド部材が前記ガイド部材の両側に設けられていることが好ましい。
【００１２】
この鳥害防止具の取付補助装置によれば、ガイド部材上の鳥害防止具が一対のサイドガイド部材に規制されることによって、脱落しないようにされるため、作業性を向上させることができる。
【００１３】
また、前記本発明にかかる鳥害防止具の取付補助装置において、架線の方に供給される向きとされた鳥害防止具を水平姿勢とするための補助ガイド部材が前記ガイド部材の前方に配置されていることが好ましい。
【００１４】
この鳥害防止具の取付補助装置によれば、吊り下げられている鳥害防止具がガイド部材によって架線に沿う方向に案内され、そして、ガイド部材と補助ガイド部材とによって、水平姿勢とされて架線に供給されることにより、鳥害防止具は架線と平行になり、架線に取り付ける作業を効率的に行うことができる。
【００１５】
また、前記本発明にかかる鳥害防止具の取付補助装置において、水平姿勢を維持するためのバランサが前記本体の下部に取り付けられていることが好ましい。
【００１６】
この鳥害防止具の取付補助装置によれば、本体の下部に取り付けられたバランサにより、鳥害防止具の取付補助装置は重心が架線の下方に位置し、姿勢を安定させることができる。
【００１７】
また、前記本発明にかかる鳥害防止具の取付補助装置において、鳥害防止具が後退しないように針状体を衝止する逆行阻止部材が前記ガイド部材の上側に配置されていることが好ましい。
【００１８】
鳥害防止具を引き上げて架線に取り付ける初期段階において、鳥害防止具の大半がガイド部材及び本体の下方に吊り下げられている状態となるため、鳥害防止具に自然落下する方向の力が作用するが、この鳥害防止具の取付補助装置によれば、鳥害防止具の先頭側の針状体が逆行阻止部材に衝止されることにより、鳥害防止具は自然落下しにくいようにすることができる。
【００１９】
また、前記本発明にかかる鳥害防止具の取付補助装置において、前記支持部材は、本体に取り付けられる位置が変更自在とされ、水平姿勢を維持するための補助バランサが備えられていることが好ましい。
【００２０】
この鳥害防止具の取付補助装置によれば、支持部材の取り付けられる位置が変更自在とされることにより、支持部材を本体の片側に偏心して取り付けることができる。そうすることにより、鳥害防止具は、架線が障害となることなく、本体の下方で捩れないで吊り下げられる。そして、支持部材が本体の片側に偏心して取り付けられても、補助バランサによって鳥害防止具の取付補助装置は、水平姿勢が維持される。なお、補助バランサは、本体部に取り付けられてもよいし、バランサに取り付けられてもよい。
【００２１】
また、前記本発明にかかる鳥害防止具の取付補助装置において、渦巻状に巻かれた鳥害防止具をセットするホルダーが備えられていてもよい。
【００２２】
この鳥害防止具の取付補助装置によれば、鳥害防止具が渦巻状に巻かれた状態で箱詰めされている場合において、渦巻状に巻かれた鳥害防止具を箱から取り出してホルダーにセットし、本体の下方に効率的に吊り下げることができる。そうすることにより、鳥害防止具が長尺に垂れ下がらず、風などに煽（あお）られないようにすることができる。さらに、ホルダーを前記バランサとしても使用することができる。
【発明の効果】
【００２３】
本発明によれば、ガイド部材と本体と支持部材とを備えた鳥害防止具の取付補助装置によって鳥害防止具を架線に効率的に短時間に取り付けることができる。したがって、この鳥害防止具の取付補助装置によれば、短時間に多くの鳥害防止具を架線に取り付けることができるようになる。
【発明を実施するための最良の形態】
【００２４】
本発明に係る鳥害防止具の取付補助装置（以下、主として「取付補助装置」という。）の第１の実施形態について図１から図３を参照しながら説明する。なお、背景技術において説明した部材と同じ部材は、同一符号を付して、その説明を省略する。
【００２５】
この取付補助装置は、背景技術で説明した鳥害防止具１００を電柱（図示せず）に架設された電線、電話線、ケーブルテレビ用ケーブルその他の架線１に取り付けるためのもので、架線１の上側かつ架線１と直交する方向に配置されるガイド部材１０、このガイド部材１０を保持する本体２０、そしてこの本体２０に取り付けられて架線１上に支持される支持部材３０を備えている。
【００２６】
ガイド部材１０（以下、「主ガイド部材」という。）は、吊り下げられている鳥害防止具１００を架線１の方向に引き上げて、架線１の方に供給するためのもので、スムーズに架線１の方に供給できるようにローラが使用される。このローラの表面には、鳥害防止具１００の基盤１１０に設けられた透孔１１４，１１４，…に係合する爪（図示せず）が設けられていてもよい。なお、主ガイド部材１０は、回転しない円筒体、円柱体、角筒体、角柱体などローラ以外のものを使用してもよい。
【００２７】
そして、本体２０は、前記主ガイド部材１０を一端側で挟むように配置される一対の角筒状のサイドバー２１，２１とこのサイドバー２１，２１を連結するセンターバー２２とを平面視Ｈ字形に一体化したものとされ、軽量化が図られている。そして、各サイドバー２１，２１の一端部の内側面には、主ガイド部材１０を回転自在に保持するピン２３，２３が内向きに突出されている。なお、本体２０は、プレートによって構成するなど、形状を限定するものではない。
【００２８】
また、この各サイドバー２１，２１の一端部の上面には、鳥害防止具１００が主ガイド部材１０上から脱落しないように規制するためのサイドガイド部材４０，４０が設けられている。サイドガイド部材４０，４０は、サイドバー２１，２１の一端部上に固定される柱状体によって構成される。
【００２９】
このサイドガイド部材４０，４０の上端部には、吊り下げられている鳥害防止具１００を引き上げる初期段階において、自然落下しないようにするための逆行阻止部材５０が取り付けられている。この逆行阻止部材５０と前記主ガイド部材１０との間隔は、鳥害防止具１００の針状体１０１，１０１，…の上端側が逆行阻止部材５０に衝止されるように、鳥害防止具１００の針状体１０１，１０１，…の高さよりも狭くされている。
【００３０】
この逆行阻止部材５０は、鳥害防止具１００の架線１への取付けが進行し、鳥害防止具１００が自然落下しなくなるまで引き上げられると、鳥害防止具１００の供給の邪魔となるため、蝶番（図示せず）などによって一方のサイドガイド部材４０から外れるようにされている。なお、この逆行阻止部材５０は、円筒体、円柱体、角筒体、角柱体などの任意の形状とすることができるが、鳥害防止具１００の針状体１０１，１０１，…を衝止するため、回転しないことが好ましい。
【００３１】
そして、各サイドバー２１，２１の他端部の内側面には、引き上げられて架線１の方に向けられた鳥害防止具１００を水平姿勢とするための補助ガイド部材６０が配置されている。補助ガイド部材６０は、鳥害防止具１００が架線１の方へスムーズに供給されるようにローラが使用され、各サイドバー２１，２１の内側面に突設されたピン２３，２３に回転自在に保持される。また、補助ガイド部材６０も前記主ガイド部材１０と同様、鳥害防止具１００の基盤１１０に設けられた透孔１１４，１１４，…に係合する爪（図示せず）が表面に設けられていてもよいし、回転しない円筒体、円柱体、角筒体、角柱体などローラ以外のものを使用してもよい。
【００３２】
そして、架線１上に支持される支持部材３０は、前記本体２０のセンターバー２２に取り付けられる。支持部材３０の下端部には、架線１に留められる装着部３１が設けられている。この装着部３１が架線１に移動しないように確実に留められ、本体２０や主ガイド部材１０などは、支持部材３０を介して架線１に支持される。本体２０や主ガイド部材１０などが安定した状態で架線１に支持されるようにするため、支持部材３０の下端又は本体２０の下面に、重心を下方にするためのバランサ（以下、「主バランサ」という。）７０が取り付けられている。
【００３３】
そして、吊り下げられた鳥害防止具１００が架線１と衝突しないように、支持部材３０は、センターバー２２の任意の位置に取り付けることができる、すなわち取付位置が変更自在とされている。支持部材３０が片方に偏心してセンターバー２２に取り付けられると、支持部材３０は本体２０や主ガイドなどを水平姿勢で支持することができない。そこで、支持部材３０が偏心した側の主バランサ７０又は本体２０に補助バランサ７１が取り付けられ、偏心した支持部材３０が本体２０や主ガイド部材１０などを水平姿勢で支持することができるようにされている。
【００３４】
ここで、以上のように構成された取付補助装置の使用方法について説明する。まず、高所作業車のバケットに搭乗した作業者が取付補助装置の支持部材３０の装着部３１を架線１に移動しないように留める。すると、主ガイド部材１０及び補助ガイド部材６０が架線１の上側かつ架線１と直交する方向に配置される。また、主バランサ７０と補助バランサ７１によって、主ガイド部材１０、補助ガイド部材６０そして本体２０は、水平姿勢を維持する。
【００３５】
そして、作業者が鳥害防止具１００を吊り下げ、鳥害防止具１００の上端側である先頭部を主ガイド部材１０と逆行阻止部材５０との間から補助ガイド部材６０の方へ引っ張る。吊り下げられた鳥害防止具１００は、支持部材３０が偏心して本体２０に取り付けられていることから、架線１と干渉しない。
【００３６】
そして、鳥害防止具１００は、先頭部が主ガイド部材１０から補助ガイド部材６０の方に引っ張られ、主ガイド部材１０と補助ガイド部材６０との間が水平姿勢となって架線１の方へ供給される。この架線１の方へ供給された鳥害防止具１００は、架線１と平行になるため、架線１を囲繞し、係合突起１１２，１１２，…と係合孔１１３，１１３，…とを係合させる作業をスムーズに行うことができる。
【００３７】
このようにして、作業者は、吊り下げられた鳥害防止具１００を引き上げ、順次、架線１に囲繞することによって取り付ける。なお、２人の作業者が高所作業車のバケットに搭乗すると、２人とも主務者となって作業することができる。
【００３８】
この一連の作業の初期段階において、鳥害防止具１００の吊り下げられている後端側が先頭部側よりも長く、自然落下する方向の力が作用しても、鳥害防止具１００の針状体１０１，１０１，…が逆行阻止部材５０の横面側に衝止されるため、鳥害防止具１００は落下しにくくされている。そして、鳥害防止具１００が次第に引き上げられ、自然落下する方向の力が作用しなくなると、逆行阻止部材５０を外す。すると、鳥害防止具１００は、針状体１０１，１０１，…が逆行阻止部材５０に当接しないで、スムーズに引き上げることができる。このようにして、鳥害防止具１００は架線１に短時間で取り付けることができる。
【００３９】
次に、本発明に係る鳥害防止具の取付補助装置の第２の実施形態について図４及び図５を参照しながら説明する。この取付補助装置は、基本的に第１の実施形態と同じであるが、渦巻状に巻かれた状態で箱詰めされた鳥害防止具１００を渦巻状に巻かれたまま吊り下げることができるようにするためのホルダー８０を備えている。
【００４０】
ホルダー８０は、図５に示すように、平盤状のベース８３に起立した姿勢と倒伏した姿勢とに姿勢が転換する第１のアーム群８１と第２のアーム群８２とを備えている。第１のアーム群８１は、複数本（図面では４本であるが、本数は限定しない。）のアーム８１ａ，８１ａ，…が組み合わされ、基端側がベース８３に姿勢転換自在に取り付けられ、先端側に折り曲げられた折曲部８１ｂ，８１ｂ，…が設けられている。この折曲部８１ｂから基端部までの長さは、渦巻状に巻かれた状態の鳥害防止具１００の半径と同じとされている。したがって、各アーム８１ａの折曲部８１ｂが鳥害防止具１００の外周に当接し、鳥害防止具１００が広がらないようにされている。
【００４１】
また、第２のアーム群８２は、複数本（図面では４本であるが、本数は限定しない。）のアーム８２ａ,８２ａ,…が組み合わされ、基端側がベース８３に直立して固定され、鳥害防止具１００の幅の高さで折り曲げることができるようにされている。したがって、渦巻状に巻かれた鳥害防止具１００の各側縁は、倒伏した姿勢の第１のアーム群８１と第２のアーム群８２とに挟まれる。なお、第２のアーム群８２の先端側は、図示したように、折り曲げられていなくてもよいし、鳥害防止具１００の外周に当接するように折り曲げられていてもよい。
【００４２】
このホルダー８０は、図５（ａ）に示すように、第１、第２のアーム群８１，８２の各アーム８１ａ,８２ａ…が起立した姿勢で収納・保管されている。使用時に、まず図５（ｂ）に示すように、第１のアーム群８１の各アーム８１ａ,８１ａ…を倒伏した姿勢とする。そして、図５（ｃ）に示すように、起立した姿勢の第２のアーム群８２に箱から取り出されて渦巻状に巻かれた鳥害防止具１００の中心が挿し込まれるようにする。最後に、図５（ｄ）に示すように、第２のアーム群８２の各アーム８２ａ,８２ａ…を倒伏した姿勢とする。すると、鳥害防止具１００は、第１のアーム群８１と第２のアーム群８２とに挟まれた状態にホルダー８０にセットされる。倒伏した第１のアーム群８１と第２のアーム群８２は、図示したように千鳥状に対向してもよいし、図示しないが平行に対向してもよい。
【００４３】
この第２の実施形態の鳥害防止具の取付補助装置は、このホルダー８０以外、第１の実施形態と同じ主ガイド部材１０、本体２０、支持部材３０などを備えている。ただし、支持部材３０又は本体２０の下面には、鳥害防止具１００の基盤１１０が本体２０と対向する縦向きで、ホルダー８０のベース８３を取り付けるロッド８４が固定されている。このロッド８４は、第１の実施形態における主バランサ７０を使用することもできる。ただし、ホルダー８０にセットされた鳥害防止具１００が重しのように作用して重心を下げるため、主バランサ７０よりも軽量のものを使用してもよい。
【００４４】
このような第２の実施形態の鳥害防止具の取付補助装置は、渦巻状に巻かれた鳥害防止具１００をセットしたホルダー８０が前記ロッド８４に取り付けられた状態で、支持部材３０が架線１に支持され、主ガイド部材１０及び補助ガイド部材６０が架線１の上側かつ架線１と直交する方向に配置される。主ガイド部材１０及び補助ガイド部材６０は、ホルダー８０にセットされた鳥害防止具１００がバランサとなって水平姿勢を維持する。また、鳥害防止具１００は、渦巻状に巻かれた状態でホルダー８０にセットされ、垂れ下がらないため、煽（あお）られないことから、取付補助装置がバランスを崩しにくくされている。
【００４５】
そして、ホルダー８０にセットされた鳥害防止具１００は、外側の外端部が先頭部となって、繰り出される。この鳥害防止具１００の先頭部は、図４に示すように、主ガイド部材１０と逆行阻止部材５０との間から補助ガイド部材６０の方へ引っ張られる。そして、鳥害防止具１００が架線１を囲繞し、短時間に取り付けることができる。
【００４６】
なお、本発明は、前記実施形態に限定することなく特許請求の範囲に記載した技術的事項の範囲内置いて種々変更することができる。例えば、主ガイド部材１０の両側に設けられる一対のサイドガイド部材４０，４０は、主ガイド部材１０の両端部に鍔部を設けることによって構成してもよい。この場合は、逆行阻止部材５０を配置するためのロッド（図示せず）を本体２０に設ける。また、補助ガイド部材６０の両端部にも鍔部を設けてもよい。
【００４７】
さらに、支持部材３０は、取付位置を変更可能とすることなく、中心又は偏心した位置に固定してもよい。あるいは、サイドガイド部材４０，４０、補助ガイド部材６０、主バランサ７０、補助バランサ７１、逆行阻止部材５０は、使用状況に応じて、備えないようにしてもよい。
【００４８】
さらに、第２の実施形態において、ホルダー８０は、コンパクトに収納・保管する必要がない場合は、第１アーム群８１を省略し、ベース８３を桶形状に形成したものとしてもよい。また、第２の実施形態におけるホルダー８０は、ロッド８４に着脱自在でなく、固定したものとしてもよい。
【図面の簡単な説明】
【００４９】
【図１】本発明に係る鳥害防止具の取付補助装置の第１の実施形態を示す概略斜視図である。
【図２】本発明に係る鳥害防止具の取付補助装置の第１の実施形態を示す正面図である。
【図３】本発明に係る鳥害防止具の取付補助装置の第１の実施形態を示す図１のＸ−Ｘ線断面側面図である。
【図４】本発明に係る鳥害防止具の取付補助装置の第２の実施形態を示す正面図である。
【図５】本発明に係る鳥害防止具の取付補助装置の第２の実施形態を構成しているホルダーの概略斜視図であって、（ａ）は使用前の状態、（ｂ）は使用するための前段の状態、（c）は、使用するための後段の状態、（ｄ）は使用する際の状態を示している。
【図６】（ａ）は鳥害防止具の斜視図、（ｂ）は鳥害防止具の断面側面図である。
【符号の説明】
【００５０】
１………架線
１０……ガイド部材（主ガイド部材）
２０……本体
３０……支持部材
４０……サイドガイド部材
５０……逆行阻止部材
６０……補助ガイド部材
７０……バランサ（主バランサ）
８０……ホルダー
１００…鳥害防止具
１０１…針状体
１１０…基盤
【図１】
0004948350.tif 000002
【図２】
0004948350.tif 000003
【図３】
0004948350.tif 000004
【図４】
0004948350.tif 000005
【図５】
0004948350.tif 000006
【図６】
0004948350.tif 000007